【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】  ファイバチャネル装置にリモートＳＣＳＩ記憶装置上の仮想ローカルストレージを与えるストレージルータであって、
ストレージルータに記憶作業空間を与えるバッファと、
ファイバチャネル移送媒体に接続およびインターフェイスするために動作可能なファイバチャネルコントローラと、
ＳＣＳＩバス移送媒体に接続およびインターフェイスするために動作可能なＳＣＳＩコントローラと、
ファイバチャネルコントローラ、ＳＣＳＩコントローラおよびバッファに結合されるスーパーバイザ装置とを含み、前記スーパーバイザ装置は、
ファイバチャネル装置とＳＣＳＩ記憶装置との間をマッピングし、かつＳＣＳＩ記憶装置上の記憶空間へのアクセス制御を行なうために、および
バッファのデータを処理してファイバチャネルコントローラとＳＣＳＩコントローラとの間をインターフェイスし、固有の低レベルブロックプロトコルを用いてファイバチャネルイニシエータ装置からＳＣＳＩ記憶装置へのアクセスを可能にするために動作可能である、ストレージルータ。
【請求項２】前記スーパーバイザ装置は、ファイバチャネル装置とＳＣＳＩ記憶装置との間をマッピングし、かつＳＣＳＩ記憶装置上の記憶空間へのアクセス制御を行なう、ＳＣＳＩバス移送媒体に接続されるＳＣＳＩ記憶装置のためのコンフィグレーションを維持するために動作可能である、請求項１に記載のストレージルータ。
【請求項３】  スーパーバイザ装置によって維持される前記コンフィグレーションは、関連するファイバチャネル装置への記憶空間のサブセットの割当を含み、各サブセットは関連するファイバチャネル装置によってのみアクセス可能である、請求項２に記載のストレージルータ。
【請求項４】  前記ファイバチャネル装置はワークステーションを含む、請求項３に記載のストレージルータ。
【請求項５】  前記ＳＣＳＩ記憶装置はハードディスクドライブを含む、請求項３に記載のストレージルータ。
【請求項６】  前記ファイバチャネルコントローラは
ファイバチャネル移送媒体に接続するのに動作可能なファイバチャネル（ＦＣ）プロトコルユニットと、
ファイバチャネルプロトコルユニットに結合される先入れ先出しキューと、
前記先入れ先出しキューおよび前記バッファに結合される直接メモリアクセス（ＤＭＡ）インターフェイスとを含む、請求項２に記載のストレージルータ。
【請求項７】  前記ＳＣＳＩコントローラは
前記ＳＣＳＩバス移送媒体に接続するのに動作可能なＳＣＳＩプロトコルユニットと、
前記ＳＣＳＩプロトコルユニットに結合される内部バッファと、
前記内部バッファおよびストレージルータのバッファに結合される直接メモリアクセス（ＤＭＡ）インターフェイスとを含む、請求項２に記載のストレージルータ。
【請求項８】  ストレージネットワークであって、
ファイバチャネル移送媒体と、
ＳＣＳＩバス移送媒体と、
ファイバチャネル移送媒体に結合される複数個のワークステーションと、
ＳＣＳＩバス移送媒体に接続される複数個のＳＣＳＩ記憶装置と、
前記ファイバチャネル移送媒体とＳＣＳＩバス移送媒体との間をインターフェイスするストレージルータとを含み、前記ストレージルータはワークステーションに対してＳＣＳＩ記憶装置上の仮想ローカルストレージを与え、前記ストレージルータは、
ワークステーションとＳＣＳＩ記憶装置との間をマッピングするために、
ＳＣＳＩ記憶装置上に記憶空間のアクセス制御を行なうために、および
マッピングおよびアクセス制御に従って固有の低レベルブロックプロトコルを用いてワークステーションからＳＣＳＩ記憶装置へのアクセスを可能にするために、動作可能である、ストレージネットワーク。
【請求項９】  前記アクセス制御は関連するワークステーションへの記憶空間のサブセットの割当を含み、各サブセットは関連するワークステーションによってのみアクセス可能である、請求項８に記載のストレージネットワーク。
【請求項１０】  前記ＳＣＳＩ記憶装置はハードディスクドライブを含む、請求項８に記載のストレージネットワーク。
【請求項１１】  前記ストレージルータは
ストレージルータにメモリ作業空間を与えるバッファと、
ファイバチャネル移送媒体に接続およびインターフェイスするのに動作可能であるファイバチャネルコントローラとを含み、前記ファイバチャネルコントローラはさらにバッファからの出力データを取り出し、入来データをバッファに入れるのに動作可能であり、
ＳＣＳＩバス移送媒体に接続およびインターフェイスするのに動作可能であるＳＣＳＩコントローラを含み、前記ＳＣＳＩコントローラはさらにバッファからの出力データを取り出し、入来データをバッファに入れるように動作可能であり、さらに
ファイバチャネルコントローラ、ＳＣＳＩコントローラおよびバッファに結合されるスーパーバイザ装置を含み、前記スーパーバイザ装置は、
ファイバチャネル装置とＳＣＳＩストレージ装置との間でマッピングし、かつＳＣＳＩ記憶装置上の記憶空間のアクセス制御を行なう、ＳＣＳＩ記憶装置のためのコンフィグレーションを維持するために、および
バッファのデータを処理してファイバチャネルコントローラとＳＣＳＩコントローラとの間をインターフェイスし、コンフィグレーションに従ってワークステーションからＳＣＳＩ記憶装置へのアクセスを可能にするために動作可能である、請求項８に記載のストレージネットワーク。
【請求項１２】  ファイバチャネル装置にリモートＳＣＳＩ記憶装置上の仮想ローカルストレージを与えるための方法であって、
ファイバチャネル移送媒体とインターフェイスするステップと、
ＳＣＳＩバス移送媒体とインターフェイスするステップと、
ファイバチャネル装置とＳＣＳＩ記憶装置との間をマッピングし、かつＳＣＳＩ記憶装置上の記憶空間のアクセス制御を行なうステップと、
前記コンフィグレーションに従って固有の低レベルブロックプロトコルを用いてファイ
バチャネルイニシエータ装置からＳＣＳＩ記憶装置へのアクセスを可能にするステップとを含む、方法。
【請求項１３】  ファイバチャネル装置とＳＣＳＩ記憶装置との間をマッピングし、かつＳＣＳＩ記憶装置上の記憶空間のアクセス制御を行なう前記ステップは、対応するシステムコンフィグレーションを維持することによって達成される、請求項１２に記載の方法。
【請求項１４】  前記コンフィグレーションを維持するステップは、記憶空間のサブセットを関連するファイバチャネル装置に割当てることを含み、各サブセットは関連するファイバチャネル装置によってのみアクセス可能である、請求項１３に記載の方法。
【請求項１５】  前記ファイバチャネル装置はワークステーションを含む、請求項１４に記載の方法。
【請求項１６】  前記ＳＣＳＩ記憶装置はハードディスクドライブを含む、請求項１４に記載の方法。
【請求項１７】  装置にリモート記憶装置上の仮想ローカルストレージを与えるストレージルータであって、
ストレージルータに記憶作業空間を与えるバッファと、
第１のファイバチャネル移送媒体に接続およびインターフェイスするために動作可能な第１のファイバチャネルコントローラと、
第２のファイバチャネル移送媒体に接続およびインターフェイスするために動作可能な第２のファイバチャネルコントローラと、
第１および第２のファイバチャネルコントローラならびにバッファに結合されるスーパーバイザ装置とを含み、前記スーパーバイザ装置は、
装置とリモート記憶装置との間をマッピングし、かつリモート記憶装置上の記憶空間へのアクセス制御を行なう、第２のファイバチャネル移送媒体に接続されるリモート記憶装置のためのコンフィグレーションを維持するために、および
バッファのデータを処理して第１のファイバチャネルコントローラと第２のファイバチャネルコントローラとの間をインターフェイスし、コンフィグレーションに従って固有の低レベルブロックプロトコルを用いてファイバチャネルイニシエータ装置からリモート記憶装置へのアクセスを可能にするために、動作可能である、ストレージルータ。
【請求項１８】  スーパーバイザ装置によって維持される前記コンフィグレーションは、関連するファイバチャネル装置への記憶空間のサブセットの割当を含み、各サブセットは関連するファイバチャネル装置によってのみアクセス可能である、請求項１７に記載のストレージルータ。
【請求項１９】  前記ファイバチャネル装置はファイバチャネルワークステーションを含む、請求項１８に記載のストレージルータ。
【請求項２０】  前記リモート記憶装置はファイバチャネルハードディスクドライブを含む、請求項１８に記載のストレージルータ。
【請求項２１】  前記第１のファイバチャネルコントローラは、
ファイバチャネル移送媒体に接続するのに動作可能なファイバチャネル（ＦＣ）プロトコルユニットと、
ファイバチャネルプロトコルユニットに結合される先入れ先出しキューと、
前記先入れ先出しキューおよび前記バッファに結合される直接メモリアクセス（ＤＭＡ）インターフェイスとを含む、請求項１７に記載のストレージルータ。
【請求項２２】  ストレージネットワークであって、
第１のファイバチャネル移送媒体と、
第２のファイバチャネル移送媒体と、
第１のファイバチャネル移送媒体に結合される複数個のワークステーションと、
第２のファイバチャネル移送媒体に接続される複数個の記憶装置と、
前記第１のファイバチャネル移送媒体と前記第２のファイバチャネル移送媒体との間をインターフェイスするストレージルータとを含み、前記ストレージルータはワークステー
ションに記憶装置上の仮想ローカルストレージを与え、前記ストレージルータは、
ワークステーションと記憶装置との間をマッピングするために、
記憶装置上の記憶空間へのアクセス制御を行なうために、および
マッピングおよびアクセス制御に従って固有の低レベルブロックプロトコルを用いてワークステーションから記憶装置へのアクセスを可能にするために、動作可能である、ストレージネットワーク。
【請求項２３】  前記アクセス制御は関連するワークステーションへの記憶空間のサブセットの割当を含み、各サブセットは関連するワークステーションによってのみアクセス可能である、請求項２２に記載のストレージネットワーク。
【請求項２４】  前記記憶装置はハードディスクドライブを含む、請求項２２に記載のストレージネットワーク。
【請求項２５】  前記ストレージルータは、
ストレージルータにメモリ作業空間を与えるバッファと、
第１のファイバチャネル移送媒体に接続およびインターフェイスするのに動作可能な第１のファイバチャネルコントローラとを含み、前記第１のファイバチャネルコントローラはさらにバッファからの出力データを取出し、入来データをバッファに入れるのに動作可能であり、
第２のファイバチャネル移送媒体に接続およびインターフェイスするのに動作可能な第２のファイバチャネルコントローラを含み、前記第２のファイバチャネルコントローラはさらにバッファからの出力データを取出し、入来データをバッファに入れるのに動作可能であり、
前記第１および第２のファイバチャネルコントローラならびに前記バッファに結合されるスーパーバイザ装置を含み、前記スーパーバイザ装置は、
ワークステーションと記憶装置との間をマッピングし、かつ記憶装置上の記憶空間へのアクセス制御を行なう、記憶装置のためのコンフィグレーションを維持するために、および
バッファのデータを処理して第１のファイバチャネルコントローラと第２のファイバチャネルコントローラとの間をインターフェイスし、コンフィグレーションに従ってワークステーションから記憶装置へのアクセスを可能にするために、動作可能である、請求項２２に記載のストレージネットワーク。
【請求項２６】  ファイバチャネルイニシエータ装置にリモート記憶装置上の仮想ローカルストレージを与えるための方法であって、
第１のファイバチャネル移送媒体とインターフェイスするステップと、
第２のファイバチャネル移送媒体とインターフェイスするステップと、
ファイバチャネルイニシエータ装置とリモートファイバチャネル記憶装置との間をマッピングし、かつリモートファイバチャネル記憶装置上の記憶空間へのアクセス制御を行なう、第２のファイバチャネル移送媒体に接続されるリモートファイバチャネル記憶装置のためのコンフィグレーションを維持するステップと、
前記コンフィグレーションに従って固有の低レベルブロックプロトコルを用いてファイバチャネルイニシエータ装置からリモートファイバチャネル記憶装置へのアクセスを可能にするステップとを含む、方法。
【請求項２７】  前記コンフィグレーションを維持するステップは、記憶空間のサブセットを関連するファイバチャネル装置に割当ることを含み、各サブセットは関連するファイバチャネル装置によってのみアクセス可能である、請求項２６に記載の方法。
【請求項２８】  前記ファイバチャネルイニシエータ装置はファイバチャネルワークステーションを含む、請求項２７に記載の方法。
【請求項２９】  前記リモートファイバチャネル記憶装置は、前記ファイバチャネルイニシエータ装置から物理的に少なくとも５００メートルの場所にある、請求項２６に記載の方法。
【請求項３０】  ファイバチャネル装置にリモートアドバンスドテクノロジーアタッ
チメント（ＡＴＡ）記憶装置上の仮想ローカルストレージを与えるストレージルータであって、
ストレージルータに記憶作業空間を与えるバッファと、
ファイバチャネル移送媒体に接続およびインターフェイスするために動作可能なファイバチャネルコントローラと、
ＡＴＡ移送媒体に接続およびインターフェイスするために動作可能なＡＴＡコントローラと、
ファイバチャネルおよびＡＴＡコントローラ、ならびにバッファに結合されるスーパーバイザ装置とを含み、前記スーパーバイザ装置は、
ファイバチャネル装置とリモートＡＴＡ記憶装置との間をマッピングし、かつリモートＡＴＡ記憶装置上の記憶空間へのアクセス制御を行なう、ＡＴＡ移送媒体に接続されるリモートＡＴＡ記憶装置のためのコンフィグレーションを維持するために、および
バッファのデータを処理してファイバチャネルコントローラとＡＴＡコントローラとの間をインターフェイスし、前記コンフィグレーションに従って固有の低レベルブロックプロトコルを用いてファイバチャネル装置からリモートＡＴＡ記憶装置へのアクセスを可能にするために、動作可能である、ストレージルータ。
【請求項３１】  前記仮想ローカルストレージは、ローカルストレージの様子および特性を有する、請求項３０に記載のストレージルータ。
【請求項３２】  少なくとも一つのリモートＡＴＡ記憶装置は、ファイバチャネル装置から物理的に少なくとも５００メートル離れた場所にある、請求項３０に記載のストレージルータ。
【請求項３３】  前記スーパーバイザ装置によって維持されるコンフィグレーションは、関連するファイバチャネル装置への記憶空間のサブセットの割当を含み、各サブセットは関連するファイバチャネル装置によってのみアクセス可能である、請求項３０に記載のストレージルータ。
【請求項３４】  ファイバチャネル装置にリモートシリアルアドバンスドテクノロジーアタッチメント（ＳＡＴＡ）記憶装置上の仮想ローカルストレージを与えるストレージルータであって、
ストレージルータに記憶作業空間を与えるバッファと、
ファイバチャネル移送媒体に接続およびインターフェイスするために動作可能なファイバチャネルコントローラと、
ＳＡＴＡ移送媒体に接続およびインターフェイスするために動作可能なＳＡＴＡコントローラと、
ファイバチャネルおよびＳＡＴＡコントローラ、ならびにバッファに結合されるスーパーバイザ装置とを含み、前記スーパーバイザ装置は、
ファイバチャネル装置とリモートＳＡＴＡ記憶装置との間をマッピングし、かつリモートＳＡＴＡ記憶装置上の記憶空間へのアクセス制御を行なう、ＳＡＴＡ移送媒体に接続されるリモートＳＡＴＡ記憶装置のためのコンフィグレーションを維持するために、および
バッファのデータを処理してファイバチャネルコントローラとＳＡＴＡコントローラとの間をインターフェイスし、前記コンフィグレーションに従って固有の低レベルブロックプロトコルを用いてファイバチャネル装置からリモートＳＡＴＡ記憶装置へのアクセスを可能にするために、動作可能である、ストレージルータ。
【請求項３５】  前記仮想ローカルストレージは、ローカルストレージの様子および特性を有する、請求項３４に記載のストレージルータ。
【請求項３６】  少なくとも一つのリモートＳＡＴＡ記憶装置は、ファイバチャネル装置から物理的に少なくとも５００メートル離れた場所にある、請求項３４に記載のストレージルータ。
【請求項３７】  前記スーパーバイザ装置によって維持されるコンフィグレーションは、関連するファイバチャネル装置への記憶空間のサブセットの割当をを含み、各サブセットは関連するファイバチャネル装置によってのみアクセス可能である、請求項３４に記
載のストレージルータ。
【請求項３８】  ｉＳＣＳＩ装置にリモートファイバチャネル記憶装置上の仮想ローカルストレージを与えるストレージルータであって、
ストレージルータに記憶作業空間を与えるバッファと、
ｉＳＣＳＩ移送媒体に接続およびインターフェイスするために動作可能なｉＳＣＳＩコントローラと、
ファイバチャネル移送媒体に接続およびインターフェイスするために動作可能なファイバチャネルコントローラと、
ｉＳＣＳＩおよびファイバチャネルコントローラならびにバッファに結合されるスーパーバイザ装置とを含み、前記スーパーバイザ装置は、
ｉＳＣＳＩ装置とリモートファイバチャネル記憶装置との間をマッピングし、かつリモートファイバチャネル記憶装置上の記憶空間へのアクセス制御を行なう、ファイバチャネル移送媒体に接続されるリモートファイバチャネル記憶装置のためのコンフィグレーションを維持するために、および
バッファのデータを処理してｉＳＣＳＩコントローラとファイバチャネルコントローラとの間をインターフェイスし、前記コンフィグレーションに従って固有の低レベルブロックプロトコルを用いてｉＳＣＳＩ装置からリモートファイバチャネル記憶装置へのアクセスを可能にするために、動作可能である、ストレージルータ。
【請求項３９】  前記仮想ローカルストレージは、ローカルストレージの様子および特性を有する、請求項３８に記載のストレージルータ。
【請求項４０】  少なくとも一つのリモートファイバチャネル装置は、ｉＳＣＳＩ装置から物理的に少なくとも５００メートル離れた場所にある、請求項３８に記載のストレージルータ。
【請求項４１】  前記スーパーバイザ装置によって維持されるコンフィグレーションは、関連するｉＳＣＳＩ装置への記憶空間のサブセットの割当を含み、各サブセットは関連するｉＳＣＳＩ装置によってのみアクセス可能である、請求項３８に記載のストレージルータ。
【請求項４２】  イニシエータ装置にリモート記憶装置上の仮想ローカルストレージを与えるストレージルータであって、
ストレージルータに記憶作業空間を与えるバッファと、
第１の移送媒体に接続およびインターフェイスするために動作可能な第１のコントローラと、
第２の移送媒体に接続およびインターフェイスするために動作可能な第２のコントローラと、
第１および第２のコントローラならびにバッファに結合されるスーパーバイザ装置とを含み、前記スーパーバイザ装置は、
イニシエータ装置とリモート記憶装置との間をマッピングし、かつリモート記憶装置上の記憶空間へのアクセス制御を行なう、第２の移送媒体に接続されるリモート記憶装置のためのコンフィグレーションを維持するために、および
バッファのデータを処理して第１のコントローラと第２のコントローラとの間をインターフェイスし、前記コンフィグレーションに従って固有の低レベルブロックプロトコルを用いてイニシエータ装置からリモート記憶装置へのアクセスを可能にするために、動作可能であり
前記仮想ローカルストレージはローカルストレージの様子および特性を有する、ストレージルータ。
【請求項４３】  前記リモート記憶装置は前記イニシエータ装置から著しく離れている、請求項４２に記載のストレージルータ。
【請求項４４】  著しく離れているとは、５００メートル以上離れていることである、請求項４３に記載のストレージルータ。
【請求項４５】  前記第１の移送媒体はファイバチャネルプロトコルに従って動作し
、前記イニシエータ装置はファイバチャネルイニシエータ装置である、請求項４２に記載のストレージルータ。
【請求項４６】  前記第２の移送媒体は特定のプロトコルに従って動作し、かつ前記リモート記憶装置は対応する記憶装置であって、（ｉ）前記第２の移送媒体はＡＴＡプロトコルによって動作し、かつ前記リモート記憶装置はＡＴＡ記憶装置である、（ｉｉ）前記第２の移送媒体はＳＡＴＡプロトコルによって動作し、かつ前記リモート記憶装置はＳＡＴＡ記憶装置である、（ｉｉｉ）前記第２の移送媒体はｉＳＣＳＩプロトコルによって動作し、かつ前記リモート記憶装置はｉＳＣＳＩ記憶装置である、または（ｉｖ）前記第２の移送媒体はインフィニバンドプロトコルによって動作し、かつ前記リモート記憶装置はインフィニバンド記憶装置である、のうちのいずれか１つによる、請求項４５に記載のストレージルータ。
【請求項４７】  ストレージネットワークであって、
第１の移送媒体と、
第２の移送媒体と、
第１の移送媒体に結合される複数個のワークステーションと、
第２の移送媒体に接続される複数個のリモート記憶装置と、
前記第１の移送媒体と前記第２の移送媒体との間をインターフェイスするストレージルータとを含み、前記ストレージルータはワークステーションにリモート記憶装置上の仮想ローカルストレージを与え、前記ストレージルータは、
ワークステーションとリモート記憶装置との間をマッピングするために、
リモート記憶装置上の記憶空間へのアクセス制御を行なうために、および
マッピングおよびアクセス制御に従って固有の低レベルブロックプロトコルを用いてワークステーションからリモート記憶装置へのアクセスを可能にするために、動作可能であり、
前記仮想ローカルストレージはローカルストレージの特性および様子を有する、ストレージネットワーク。
【請求項４８】  前記第１および第２の移送媒体はファイバチャネルプロトコルに従って動作可能であり、前記複数個のワークステーションはファイバチャネルワークステーションであり、前記複数個のリモート記憶装置はファイバチャネル記憶装置である、請求項４７に記載のストレージネットワーク。
【請求項４９】  前記第１の移送媒体はファイバチャネルプロトコルによって動作し、前記複数個のワークステーションはファイバチャネルワークステーションである、請求項４７に記載のストレージネットワーク。
【請求項５０】  前記第２の移送媒体は特定のプロトコルに従って動作し、かつ前記リモート記憶装置は対応する記憶装置であって、（ｉ）前記第２の移送媒体はＡＴＡプロトコルによって動作し、かつ前記リモート記憶装置はＡＴＡ記憶装置である、（ｉｉ）前記第２の移送媒体はＳＡＴＡプロトコルによって動作し、かつ前記リモート記憶装置はＳＡＴＡ記憶装置である、（ｉｉｉ）前記第２の移送媒体はｉＳＣＳＩプロトコルによって動作し、かつ前記リモート記憶装置はｉＳＣＳＩ記憶装置である、または（ｉｖ）前記第２の移送媒体はインフィニバンドプロトコルによって動作し、かつ前記リモート記憶装置はインフィニバンド記憶装置である、のうちのいずれか１つによる、請求項４９に記載のストレージネットワーク。
【請求項５１】  少なくとも１つのリモート記憶装置は少なくとも１つのワークステーションから５００メートル以上離れている、請求項４７に記載のストレージネットワーク。
【請求項５２】  イニシエータ装置にリモート記憶装置上の仮想ローカルストレージを与えるための方法であって、
第１の移送媒体とインターフェイスするステップと、
第２の移送媒体とインターフェイスするステップと、
イニシエータ装置とリモート記憶装置との間をマッピングし、かつリモート記憶装置上
の記憶空間へのアクセス制御を行なう、第２の移送媒体に接続されるリモート記憶装置のためのコンフィグレーションを維持するステップと、
前記コンフィグレーションに従って固有の低レベルブロックプロトコルを用いてイニシエータ装置からリモート記憶装置へのアクセスを可能にするステップとを含み、
前記仮想ローカルストレージはローカルストレージの様子および特性を有する、方法。
【請求項５３】  前記第１および第２の移送媒体はファイバチャネルプロトコルによって動作可能であり、前記イニシエータ装置はファイバチャネルイニシエータ装置であり、前記リモート記憶装置はファイバチャネル記憶装置である、請求項５２に記載の方法。
【請求項５４】  前記第１の移送媒体はファイバチャネルプロトコルによって動作し、前記イニシエータ装置はファイバチャネルイニシエータ装置である、請求項５２に記載の方法。
【請求項５５】  前記第２の移送媒体は特定のプロトコルに従って動作し、かつ前記リモート記憶装置は対応する記憶装置であって、（ｉ）前記第２の移送媒体はＡＴＡプロトコルによって動作し、かつ前記リモート記憶装置はＡＴＡ記憶装置である、（ｉｉ）前記第２の移送媒体はＳＡＴＡプロトコルによって動作し、かつ前記リモート記憶装置はＳＡＴＡ記憶装置である、（ｉｉｉ）前記第２の移送媒体はｉＳＣＳＩプロトコルによって動作し、かつ前記リモート記憶装置はｉＳＣＳＩ記憶装置である、または（ｉｖ）前記第２の移送媒体はインフィニバンドプロトコルによって動作し、かつ前記リモート記憶装置はインフィニバンド記憶装置である、のうちのいずれか１つによる、請求項５４に記載の方法。
【請求項５６】  少なくとも１つのリモート記憶装置はイニシエータ装置から５００メートル以上離れている、請求項５２に記載の方法。
【請求項５７】  装置にリモート記憶装置上の仮想ローカルストレージを与える装置であって、
第１の移送媒体に接続およびインターフェイスするために動作可能な第１のコントローラと、
第２の移送媒体に接続およびインターフェイスするために動作可能な第２のコントローラと、
第１のコントローラおよび第２のコントローラに結合されるスーパーバイザ装置とを含み、前記スーパーバイザ装置は、装置とリモート記憶装置との間のマッピングによって、固有の低レベルブロックプロトコルを用いて、前記第１の移送媒体に接続される装置から前記第２の移送媒体に接続されるリモート記憶装置へのアクセスを制御するために動作可能であり、
仮想ローカルストレージはローカルストレージの様子および特性を有する、装置。
【請求項５８】  前記第１の移送媒体はファイバチャネル移送媒体であり、第１移送媒体に接続される前記装置はファイバチャネル装置である、請求項５７に記載の装置。
【請求項５９】  第２の移送媒体は、ｉＳＣＳＩ、インフィニバンド、ＡＴＡまたはＳＡＴＡの移送プロトコルのいずれか１つによって動作可能である、請求項５８に記載の装置。
【請求項６０】  第１および第２の移送媒体はファイバチャネルプロトコルによって動作可能であり、第１の移送媒体に接続される前記装置はファイバチャネル装置であり、前記リモート記憶装置はファイバチャネル記憶装置である、請求項５７に記載の装置。
【請求項６１】  前記リモート記憶装置は第１の移送媒体に接続される装置から５００メートル以上離れている、請求項５７に記載の装置。
【請求項６２】  リモート記憶装置に仮想ローカルストレージを与えるシステムであって、
第１の移送媒体に接続およびインターフェイスするために動作可能な第１のコントローラと、
第２の移送媒体に接続およびインターフェイスするために動作可能な第２のコントローラと、
第１の移送媒体に接続される少なくとも１つの装置と、
第２の移送媒体に接続される少なくとも１つのリモート記憶装置と、
第１のコントローラおよび第２のコントローラに結合されるアクセス制御装置とを含み、前記アクセス制御装置は、
前記少なくとも１つの装置と前記少なくとも１つのリモート記憶装置上の記憶空間との間をマッピングするために、および
前記マッピングに従って、固有の低レベルブロックプロトコルを用いて前記少なくとも１つの装置から前記少なくとも１つのリモート記憶装置へのアクセス制御を行うために、動作可能であり、
前記仮想ローカルストレージはローカルストレージの様子および特性を有する、システム。
【請求項６３】  前記第１の移送媒体および前記第２の移送媒体はファイバチャネルプロトコルによって動作し、前記少なくとも１つの装置はファイバチャネル装置を含み、前記少なくとも１つのリモート記憶装置は少なくとも１つのファイバチャネル記憶装置を含む、請求項６２に記載のシステム。
【請求項６４】  前記第１の移送媒体はファイバチャネル移送媒体であり、前記少なくとも１つの装置は少なくとも１つのファイバチャネル装置を含む、請求項６２に記載のシステム。
【請求項６５】  前記第２の移送媒体は特定のプロトコルに従って動作し、かつ前記少なくとも１つのリモート記憶装置は少なくとも１つの対応する記憶装置を含むのであって、（ｉ）前記第２の移送媒体はＡＴＡプロトコルによって動作し、かつ前記少なくとも１つのリモート記憶装置は少なくとも１つのＡＴＡ記憶装置を含む、（ｉｉ）前記第２の移送媒体はＳＡＴＡプロトコルによって動作し、かつ前記少なくとも１つのリモート記憶装置は少なくとも１つのＳＡＴＡ記憶装置を含む、（ｉｉｉ）前記第２の移送媒体はｉＳＣＳＩプロトコルによって動作し、かつ前記少なくとも１つのリモート記憶装置は少なくとも１つのｉＳＣＳＩ記憶装置を含む、または（ｉｖ）前記第２の移送媒体はインフィニバンドプロトコルによって動作し、かつ前記少なくとも１つのリモートリモート記憶装置は少なくとも１つのインフィニバンド記憶装置を含む、のうちのいずれか１つによる、請求項６４に記載のシステム。
【請求項６６】  前記少なくとも１つのリモート記憶装置は、第１の移送媒体に接続される前記少なくとも１つの装置から５００メートル以上離れている、請求項６２に記載のシステム。
【請求項６７】  リモート記憶装置に仮想ローカルストレージを与えるための方法であって、
第１の移送媒体に接続される装置と第２の移送媒体に接続されるリモート記憶装置との間をマッピングするステップと、
リモート記憶装置上の記憶空間へのアクセス制御を行なうステップと、
固有の低レベルブロックプロトコルを用いて、第１の移送媒体に接続される装置からリモート記憶装置上の記憶空間へのアクセスを可能にするステップとを含み、
前記仮想ローカルストレージはローカルストレージの様子および特性を有する、方法。
【請求項６８】  前記第１および第２の移送媒体はファイバチャネルプロトコルによって動作し、第１の移送媒体に接続される前記装置はファイバチャネル装置であり、前記リモート記憶装置はファイバチャネル記憶装置である、請求項６７に記載の方法。
【請求項６９】  前記第１の移送媒体はファイバチャネルプロトコルによって動作し、第１の移送媒体に接続される前記装置はファイバチャネル装置である、請求項６７に記載の方法。
【請求項７０】  前記第２の移送媒体は特定のプロトコルに従って動作し、かつ前記リモート記憶装置は対応する記憶装置であって、（ｉ）前記第２の移送媒体はＡＴＡプロトコルによって動作し、かつ前記リモート記憶装置はＡＴＡ記憶装置である、（ｉｉ）前記第２の移送媒体はＳＡＴＡプロトコルによって動作し、かつ前記リモート記憶装置はＳ
ＡＴＡ記憶装置である、（ｉｉｉ）前記第２の移送媒体はｉＳＣＳＩプロトコルによって動作し、かつ前記リモート記憶装置はｉＳＣＳＩ記憶装置である、または（ｉｖ）前記第２の移送媒体はインフィニバンドプロトコルによって動作し、かつ前記リモート記憶装置はインフィニバンド記憶装置である、のうちのいずれか１つによる、請求項６９に記載の方法。
【請求項７１】  前記リモート記憶装置は第１の移送媒体に接続される装置から５００メートル以上離れている、請求項６７に記載の方法。
【請求項７２】  仮想ローカルストレージを与えるためのシステムであって、
ホスト装置と、
ホスト装置から離れたリモート記憶装置とを含み、記憶装置は記憶空間を有し、さらに
第１のコントローラと、
第２のコントローラと、
ファイバチャネル移送媒体とを含み、前記ファイバチャネル移送媒体はホスト装置を第１のコントローラに接続し、さらに
第２のプロトコルによって動作可能な第２の移送媒体を含み、前記第２の移送媒体は第２のコントローラをリモート記憶装置に接続し、さらに
第１のコントローラおよび第２のコントローラに結合されるスーパーバイザ装置を含み、前記スーパーバイザ装置は、
ホスト装置と記憶装置の記憶空間の少なくとも一部分との間をマッピングするコンフィグレーションを維持するために、および
固有の低レベルブロックプロトコルを用いて、コンフィグレーションによって記憶装置上の記憶空間へのアクセス制御を行なうために、動作可能であり、
前記仮想ローカルストレージはローカルストレージの特性および様子を有する、システム。
【請求項７３】  前記スーパーバイザ装置はさらに、
ホスト装置から記憶装置へのリモート記憶装置上の記憶空間の少なくとも一部分の仮想表示をマッピングするコンフィグレーションを維持するために、および
ホスト装置が前記マッピングに含まれるその記憶空間の部分のみをアクセス可能にするために、動作可能である、請求項７２に記載のシステム。
【請求項７４】  仮想ローカルストレージはさらに記憶装置の少なくとも一部分の表示を含む、請求項７２に記載のシステム。
【請求項７５】  前記第２の移送媒体は、ＡＴＡプロトコル、ＳＡＴＡプロトコル、インフィニバンドプロトコルまたはｉＳＣＳＩプロトコルのいずれか１つに従って動作可能である、請求項７２に記載のシステム。
【請求項７６】  前記リモート記憶装置はホスト装置から５００メートル以上離れている、請求項７２に記載のシステム。